(57)【要約】【課題】意図的しない入力を防ぐ入力スイッチを有する入力装置、及びスイッチング方法を提供する。【解決手段】第１入力部が入力信号を生成した後、制御部がスイッチインタフェースをオフにして第２入力部とコンピュータ・システムとの間の信号経路を切断する。計数時間が所定時間より長いときには、制御部はスイッチインタフェースをアクティブにして、第２入力部とコンピュータ・システムとの間の信号経路を再接続する。ユーザが誤って多くの入力装置に触れてしまっても意図しない入力がなされることを防ぐ。【選択図】図１
2012141949.tif 000002
【特許請求の範囲】
【請求項１】
入力信号を生成する第１入力部と、
スイッチインタフェースを有する第２入力部と、
所定時間を設定し且つ計数時間を生成するタイマと、
制御部と、を備え、
前記制御部が入力信号を受け取ったとき、前記制御部は前記スイッチインタフェースをオフにして、前記計数時間に生成するために前記タイマをアクティブにする入力装置。
【請求項２】
前記制御部は前記計数時間と前記所定時間とを比較し、前記スイッチインタフェースをアクティブにする請求項１に記載の入力装置。
【請求項３】
前記計数時間と前記所定時間とは測定に最小単位としてミリ秒値で計測する請求項２に記載の入力装置。
【請求項４】
前記タイマがアクティブになっているときに、前記タイマは、年、月、日、時、分、及び秒に基づいてスタートミリ秒値に変える請求項３に記載の入力装置。
【請求項５】
前記計数時間の計算は、ベース値としてスタートミリ秒値を設定し、１ミリ秒で計数蓄積を開始する請求項４に記載の入力装置。
【請求項６】
前記計数時間の計算は、ベース値としてスタートミリ秒値を設定し、１００ミリ秒で計数蓄積を開始する請求項４に記載の入力装置。
【請求項７】
前記所定時間の範囲は、１０ミリ秒から１３０ミリ秒である請求項３に記載の入力装置。
【請求項８】
入力装置のためのスイッチング方法であって、
所定時間を設定する工程と、
第１入力部から生成された入力信号がすでに受信されているかを検出する工程と、
前記第１入力部が入力信号を生成していることを検出するとき、第２入力部のスイッチインタフェースをオフにして、タイマをアクティブにして計数時間を生成する工程と、
前記所定時間と前記計数時間とを比較する工程と、
前記計数時間が前記所定時間より長いときには、スイッチインタフェースをアクティブにする工程と、
を備えるスイッチング方法。
【請求項９】
前記計数時間と前記所定時間とは測定に最小単位としてミリ秒値を使用する請求項８に記載の入力装置のスイッチング方法。
【請求項１０】
前記タイマがアクティブになっているときに、前記タイマは、年、月、日、時、分、及び秒に基づいてスタートミリ秒値を生成する請求項９に記載の入力装置のスイッチング方法。
【請求項１１】
前記計数時間の計算は、ベース値としてスタートミリ秒値を設定し、１ミリ秒で計数蓄積を開始する請求項１０に記載の入力装置のスイッチング方法。
【請求項１２】
前記計数時間の計算は、ベース値としてスタートミリ秒値を設定し、１００ミリ秒で計数蓄積を開始する請求項１０に記載の入力装置のスイッチング方法。
【請求項１３】
前記所定時間の範囲は、１０ミリ秒から１３０ミリ秒である請求項９に記載の入力装置のスイッチング方法。
【発明の詳細な説明】
【技術分野】
【０００１】
本発明は、入力スイッチを有する入力装置及びそのスイッチング方法に関する。特にコンピュータに適用できる入力スイッチを有する入力装置及びそのスイッチング方法に関する。
【０００２】
入力装置はコンピュータが入力データを受け取るための通路である。ユーザは入力装置を介してデータを入力することができる。入力データは、入力装置によって電子信号に変えられ、メインメモリの中に保存される。キーボード、カードリーダ、マウス、ライトペン、バーコード読み取り機、スキャナ及びデジタルカメラのようなコンピュータデバイスは入力装置のカテゴリに属する。
【０００３】
従来のコンピュータ・システムは、多くの入力装置を有している。しかしながら、ユーザが、ある入力装置を操作するとき、コンピュータ・システムは、自動的に他の使用されていない入力装置を自動的にオフにしない。その結果、共通した欠点が現れる。仮に自動スイッチングシステムがないとすれば、ユーザがある入力装置を操作しようとした際に、ユーザが何気なく他の入力装置に触ってしまい、誤った信号がコンピュータに送られてユーザの正常動作状態を混乱させてしまう。自動スイッチングシステムは使用されていない入力装置をオフにすることができる。
【０００４】
現在、自動的に入力ソースを検出して、他の入力装置をオフにすることができる方法もソフトウェア・システムもない。このため、ユーザは、誤った操作を防ぐために自分自身で入力装置をオフしたりオンしたりするのみである。そのため、ユーザが多くの入力装置に触れてしまい意図的しない入力を防ぐ入力装置を開発することが求められている。
【先行技術文献】
【特許文献】
【０００５】
【特許文献１】台湾実用新案第４０３０５１号公報
【発明の概要】
【発明が解決しようとする課題】
【０００６】
本発明の主目的はコンピュータに適用できる入力スイッチを有する入力装置、及びスイッチング方法を提供することである。そして、ユーザが誤って多くの入力装置に触れてしまっても意図しない入力がなされることを防ぐことを目指す。本発明の入力スイッチを有する入力装置及びスイッチング方法によると、第１入力部が入力信号を生成した後、制御部がスイッチインタフェースをオフにして第２入力部とコンピュータ・システムとの間の信号経路を切断する。そして、ユーザによる誤った操作を防ぐ。添付図面を参照して本発明を説明する。
【図面の簡単な説明】
【０００７】
【図１】本発明に関する入力スイッチを有する入力装置の第１ブロック図である。
【図２】本発明に関する入力スイッチを有する入力装置のフローチャートである。
【図３】本発明に関する入力スイッチを有する入力装置の第２ブロック図である。
【発明を実施するための形態】
【０００８】
図１は本発明に関する入力スイッチを有する入力装置の第１ブロック図である。  図１に示されているように、本発明に関する入力スイッチによる入力装置の第１実施例は、入力信号１１を作り出すための第１入力部１と、スイッチインタフェース２１を有する第２入力部２と、所定時間（図示されていない）を設定し且つ計数時間（図示されていない）を生成するタイマ３と、制御部４とを含んでいる。制御部４は、スイッチインタフェース２１をオフにして、入力信号１１を受け取った後の計数時間に生成するためにタイマ３をアクティブにする。仮に計数時間が所定時間よりも大きくなると、制御部４はスイッチインタフェース２１をアクティブにする。
【０００９】
図２は本発明に関する入力装置のスイッチング方法のフローチャートである。
図２に示されているように、本発明に関する入力装置のスイッチング方法は以下のステップを含む。
所定時間（図示されていない）を設定する。
第１入力部１から生成された入力信号１１がすでに受信されているかを検出する。
第１入力部１が入力信号１１を生成していることを検出するとき、第２入力部２のスイッチインタフェース２１をオフにして、タイマ３をアクティブにして計数時間を生成する。
所定時間と計数時間とを比較する。
計数時間が所定時間より長いときには、スイッチインタフェース２１をアクティブにする。
【００１０】
以上説明した通り、この開示によると、第１入力部１が入力信号１１を作り出した後に、制御部４は、第２入力部２とコンピュータ・システムとの間の信号経路を切断するためにスイッチインタフェース２１をオフする。そして、計数時間が所定時間より長いときに、制御部４は、第２入力部２とコンピュータ・システムとの間の信号経路を再接続するためにスイッチインタフェース２１をアクティブにする。したがって、この装置は、ユーザが多くの入力装置に触れてしまい意図しない入力がなされるのを防ぐことができる。
【００１１】
以下に、本開示はさらに別の実施例を開示する。所定時間と計数時間とは測定に最小単位としてミリ秒値を使用する。タイマ３がアクティブになっているときに、それは、年、月、日、時、分、及び秒に基づいてスタートミリ秒値に変える。スタートミリ秒値は、ベース値として設定され、１ミリ秒で計数蓄積を開始する。
【００１２】
別の実施例を説明する。タイマ３がアクティブになっているとき、それは、年、月、日、時、分及び秒に基づいてスタートミリ秒値を変える。スタートミリ秒値は、ベース値として設定され、１００ミリ秒で計数蓄積を開始する。
【００１３】
さらに、好ましい実施例によると、所定時間の範囲が１０ミリ秒から１３０ミリ秒である。
【００１４】
最後に、図３を参照する。図３は、本発明に関する入力スイッチを有する入力装置の第２ブロック図を示す。図３で図示されたこの実施例は、図１における実施例とほとんど同じである。異なる点は、タイマ３０が制御部４０に含まれている点である。
【図１】
2012141949.tif 000003
【図２】
2012141949.tif 000004
【図３】
2012141949.tif 000005